(57)【要約】【課題】  出願経過情報フローチャートは、最終ステップを見てもそのステップの法律的な位置づけを専門家でない技術者等が判断できない場合がある。権利化の状況をフローチャート上で識別できることを可能とする。【解決手段】  工業所有権四法のいずれかに基づき出願された出願の手続ステップを含む経過情報を表示するフローチャート表示方法において、該フローチャート上に少なくとも権利化されずに消滅した区域と権利化後に権利消滅した区域を設け、それぞれの区域には消滅した原因である処分を配置して、出願が消滅状況になった場合には出願経過のステップから該権利化状況区域の該当する処分に進んだことを示すことを特徴とする出願経過情報フローチャート表示方法。【選択図】  図１
2008108110.tif 000002
【特許請求の範囲】
【請求項１】
工業所有権四法のいずれかに基づき出願された出願の手続ステップを含む経過情報を表示するフローチャート表示方法において、該フローチャート上に権利化されずに消滅した区域と権利化後に権利消滅した区域を設け、それぞれの区域には消滅した原因である処分を配置して、出願が消滅状況になった場合には出願経過のステップから該権利化状況区域の該当する処分に進んだことを示すことを特徴とする出願経過情報フローチャート表示方法。
【発明の詳細な説明】
【技術分野】
【０００１】
本発明は、特許等の出願経過と権利化状況を示すフローチャート表示方法に関するものである。
【背景技術】
【０００２】
特許等の出願経過情報は、特許庁から提供された「整理標準化データ」をもとに複数のデータベースでそれぞれ独自の表示がされてきた。それらの表示方法はデータの羅列であって経過の流れの判読が困難な場合が多かった。そこで出願経過情報をフローチャートで表現することが本出願人の特開2002-7547号（特許第3714596号）で提案され、その後ＮＲＩサイバーパテント社等のデータベースによって実用化されており好評である。
【特許文献１】特開2002-07547号（特許第3714596号）
【発明の開示】
【発明が解決しようとする課題】
【０００３】
出願経過情報フローチャートは、出願経過の流れを判別する分かりやすい表示である。しかしながらフローチャート上の最終ステップを見てもそのステップの法律的な位置づけを専門家でない技術者等が判断できない場合あるいは勝手に判断してしまう場合がある。例えば経過ステップが登録査定で終わっている場合では登録料の納付がなければまだ権利化されていないが、権利化されたと判断する危険性がある。
【０００４】
従って権利化の状況をフローチャート上で即座に判別できる表示が望まれる。ここで権利化の状況としては、権利化以前の状況、権利化されて権利存続している状況、権利化されずに消滅した状況（権利化する可能性がなくなった状況）、権利化後に権利が消滅した状況の４種類の法律的な状況が一瞥で判別できることが好ましい。
【０００５】
さらに、審査段階あるいは審判段階で権利（特許権等）を得る可能性がなくなった場合、及び登録後に権利を失った場合にはその原因が示されれば好ましい。
【課題を解決するための手段】
【０００６】
工業所有権四法のいずれかに基づき出願された出願の手続ステップを含む経過情報を表示するフローチャート表示方法において、該フローチャート上に権利化されずに消滅した区域と権利化後に権利消滅した区域を設け、それぞれの区域には消滅した原因である処分を配置して、出願が消滅状況になった場合には出願経過のステップから該権利化状況区域の該当する処分に進んだことを示すことを特徴とする出願経過情報フローチャート表示方法。
【０００７】
すなわち、出願経過情報を示すフローチャート上に、出願がまだ権利化以前の状況、権利化されて権利存続している状況、権利化されずに消滅した状況、権利化後に権利が消滅した状況の４種類の識別する区域を設け、権利化されずに消滅あるいは権利化後に消滅した状況の区域には消滅の原因になった処分を配置する。消滅した出願を表示する場合には、消滅した状況の区域の該当する処分を最終ステップとして明示する。
具体的な方法の一例としては、出願の経過がフローチャート上で網掛けステップと矢印とで示され、その最終ステップが前記消滅した状況の区域への矢印とそこに配置された消滅の理由になった処分が網掛けされることによって示される。
【発明の効果】
【０００８】
本発明によれば、出願の経過がどんなルートをたどったかが分かるだけでなく、最新時点での法律的な状況を即座に把握することができる。特に権利が消滅した出願の場合にはルートだけではなく消滅した原因が即座に把握できる。
【実施例】
【０００９】
本発明の好ましい実施例を特許出願の場合で説明する。経過情報のデータの選択やフローチャート上のステップへの対応については前記の特開2002-7547号（特許第3714596号）で詳細に説明されて公知である。前記公報を引用することでフローチャート表示方法の説明を省略し、ここでは本発明の特徴部分を説明する。
【００１０】
図１で矢印は経過ルートとしてステップからステップに進む可能性があるものを示し、実線の矢印は出願が辿ったルートである。経過したステップは網掛けしてある。このフローチャート上には (i)権利化前、(ii)権利化後(権利存続)、(iii)権利化されずに消滅、(iv)権利化後に権利消滅の4区域を設けられている。
【００１１】
図１は実際の出願の経過のフローチャート表示であり権利が成立し存続している例である。すなわち最終の経過ステップが「登録料支払・設定登録(2005.819)」であり、(ii)の権利化後（権利存続）」の区域に位置している。
【００１２】
それぞれの区域に該当する整理標準化データを説明する。(i)権利化前の区域には審査（出願マスタ）の中間記録データが表示され、(ii)権利化後(権利存続)の区域には主に登録（登録マスタ）の中間記録データが表示される。(iii)権利化されずに消滅の区域には審査の出願細項目の審査最終処分を示す識別コードＣ0360のうち登録、欠号などを除いた権利化ができなかった処分が配置され未審査の場合と審査を経た場合に分けて表示されている。審査を経た場合には整理標準化データには存在しないが拒絶確定のものが含まれている。これは拒絶査定を受けた出願人が争わなかった場合、特許庁はそれに対する処分コードを発生させていないので、権利化への手続がされていないと推定できる時点で適用される。
【００１３】
また、(iii)の区域には拒絶査定不服審判請求の処分を示す審判（審判マスター）の審判最終処分を示す識別コードＣ0470のうち請求が成立したもの以外の処分が表示されている。(iv)権利化後に権利消滅の区域には、登録の登録細項目の本権利抹消の識別コードＣ0780から第三者攻撃で権利消滅した場合の処分とそれ以外の原因で権利消滅した場合の処分が分けて表示されている。
【００１４】
これらの各処分に該当する出願の場合には区域(i)あるいは区域(ii)の経過ステップから実線の矢印が区域(iii)あるいは区域(iv)に入り該当する処分が網掛けされる。
【００１５】
なお、権利付与前異議申立があった出願は区域(i)でそのステップが網掛けされ、それによって消滅したものは実線の矢印が区域(iii)に向かうが、消滅しなかったものには矢印はない。権利付与後異議申立も区域(ii)で同様である。
【００１６】
区域(ii)の無効審判も同様であり、それにより消滅した場合（全部無効）には実線の矢印が区域(iv)に向かうが一部無効で権利が消滅していない場合には矢印が存在しない。審判が進行中あるいは審判請求が不成立で終結の場合も矢印が存在しない。
【００１７】
なお、無効審判の場合には複数件が独立に存在する場合、他の無効審判・訂正審判・異議申立あるいは訴訟等との関係で複雑な状況の場合があり、無効審判ステップをクリックすると別途内容を表示することが好ましい。
【００１８】
以上、特許出願の場合について説明したが、実用新案登録出願、意匠出願、商標出願についても実施が可能である。
【図面の簡単な説明】
【００１９】
【図１】本発明方法を用いたフローチャート表示の例を示す図
【図１】
2008108110.tif 000003